(57)【要約】【課題】  収穫時に、作業者が移動することなく、定位置で収穫作業を効率よく行うことができるとともに、設備や装置に要する費用を低減することができる植物の栽培および収穫方法、並びにそれに使用するネットの剥離装置を提供する。【解決手段】  栽培用土壌中にネット４を敷設した後、播種し、根５ａがネット４を通して下方に、かつ葉や茎５ｂがネット４より上方に伸びるようにして葉ねぎ５を栽培し、収穫時に、ネット４の一端部を持ち上げるとともに、側方に引き寄せつつ、ネット４の上方に位置する葉ねぎ５を収穫する。また、収穫時に、ネット４の一端部を持ち上げた後、その下方に、ネット４の幅方向を向く剥離部材を挿入し、この剥離部材を、ネット４の長手方向に移動させることにより、ネット４およびそれに絡み付いた葉ねぎ５を、その下の土壌から剥離させる。【選択図】  図５
2016052275.tif 000002
【特許請求の範囲】
【請求項１】
栽培用土壌中にネットを敷設した後、または同時に、播種するか、または苗または球根を植え付け、根が前記ネットを通して下方に、かつ葉や茎が前記ネットより上方に伸びるようにして植物を栽培し、収穫時に、前記ネットの一端部を持ち上げるとともに、側方に引き寄せつつ、前記ネットの上方に位置する植物を収穫することを特徴とする植物の栽培および収穫方法。
【請求項２】
収穫時に、ネットの一端部を持ち上げた後、その下方に、前記ネットの幅方向を向く剥離部材を挿入し、この剥離部材を、前記ネットの長手方向に移動させることにより、前記ネットおよびそれに絡み付いた植物を、その下の土壌から剥離させることを特徴とする請求項１記載の植物の栽培および収穫方法。
【請求項３】
剥離部材により、ネットおよびそれに絡み付いた植物を、その下の土壌から剥離するのと同時に、その間に摩擦抵抗減少用のシートを敷設し、ネットを側方に引き寄せる際、ネットおよびそれに絡み付いた植物とシートとの間、またはシートとその下の土壌との間において互いに滑らせることを特徴とする請求項２記載の植物の栽培および収穫方法。
【請求項４】
収穫時に、持ち上げたネットの一端部を巻取機に巻き取りつつ、かつシートの一端部を別の巻取機に巻き取りつつ、持ち上げられたネットの上方に位置する植物を収穫することを特徴とする請求項３記載の植物の栽培および収穫方法。
【請求項５】
ネットに、植物の種を適宜の間隔をもって付着させておいた水溶性のシートを貼着しておき、ネットを栽培用土壌中に敷設するのと同時に、播種することを特徴とする請求項１〜４のいずれかに記載の植物の栽培および収穫方法。
【請求項６】
筒状としたネット内に、球根を適宜の間隔をもって収容しておくことにより、ネットを栽培用土壌中に敷設するのと同時に、球根の植え付けを行うことを特徴とする請求項１〜４のいずれかに記載の植物の栽培および収穫方法。
【請求項７】
栽培用土壌中に敷設され、かつ複数の植物が、その根が下方に、葉や茎が上方に伸びるようにして絡み付いたネットを、その下の土壌から剥離するネットの剥離装置であって、
前記ネットの幅方向を向くようにして、前記ネットの下方に挿入されるローラ状の剥離部材と、
前記ネットを跨ぐ倒立Ｕ字状をなし、両端部をもって前記剥離部材の両端部を軸受するフレームと、
前記フレームの両端部に設けられ、かつ前記ネットの両側方の圃場上を、前記ネットの長手方向に沿って転動するようにした１対の車輪と、
前記剥離部材と少なくとも１個の車輪とが、互いに逆方向に回転するように連係する連係手段
とを備えることを特徴とするネットの剥離装置。
【請求項８】
ローラ状の剥離部材の外周面に、ネットの目と係合することにより、剥離部材とネットの位置ずれを防止する突起を設けた請求項７記載のネットの剥離装置。
【請求項９】
フレームの両端部に、剥離部材により剥離したネットおよびそれに絡み付いた植物と、その下の土壌との間に敷設する摩擦抵抗減少用のシートを巻き取ったロールの両端部を軸受した請求項７または８記載のネットの剥離装置。
【発明の詳細な説明】
【技術分野】
【０００１】
本発明は、葉ねぎ等の葉菜類、らっきょ等の鱗茎菜類、その他の植物の栽培および収穫方法、並びにそれに使用するネットの剥離装置に関する。
【背景技術】
【０００２】
ネットを利用した植物の栽培および収穫方法または装置としては、畝上にネットを布設して、ネット上に球根を載置し、覆土する工程と、成長した球根の葉茎部を取り除いた後に、ネットを畝から取り外し、巻き取りながらネットから球根を分離収穫するようにしたもの(特許文献１参照)、土壌中にネットを敷設し、該ネット上に農作物を植え付けて生育させる栽培工程と、伸張した根によってネットに固定された農作物を、ネットを土壌から引き上げることによって収穫する収穫工程と、ネットに固定された状態の農作物から根部、および／または茎葉部を、切断する調整工程とを有するもの(特許文献２参照)、ネット上で栽培され、該ネットに固定された状態で収穫された農作物の根部、および／または茎葉部を、ネット面から所定の距離だけ離れた位置で切除する切除手段と、前記農作物をネットごと前記切除手段に連続的に導入する導入手段とを有し、前記導入手段が、前記農作物の根部がネットの上方に位置するようにネットの上下を反転させた状態で、該ネットおよび農作物を切除手段へ導入するようにしたもの(特許文献３参照)等がある。
【先行技術文献】
【特許文献】
【０００３】
【特許文献１】特開平５−３０４８０４号公報
【特許文献２】特開２００７−００６８４７号公報
【特許文献３】特開２００８−０７９５２０号公報
【発明の概要】
【発明が解決しようとする課題】
【０００４】
特許文献１および３に記載されているものは、ネットが敷設された畝に沿って走行する台車上に、ネットの引き上げ装置や収穫手段を設けなければならず、装置が大型化するだけでなく、台車を畝に沿って走行させなければならないので、動力や人力を必要とする等の問題がある。
【０００５】
特許文献２に記載されているものは、台車等を用いることなく、一定の場所に駆動用ローラやモータ、切除機構、収容箱等を設置し、作業者が移動することなく、一箇所で作業を行うことができる反面、ネットを数十メートルの長いものとしたとき、たとえ収穫時に浮かし堀り等を併用しつつネットを引き上げたとしても、栽培した植物が固着しているネットを作業場所まで引き寄せるには大きな力が必要となり、しかも強い力でネットを引き寄せると、ネットの強度がそれに耐えられず、破損するおそれがある。
【０００６】
本発明は、従来の技術が有する上記のような問題点に鑑み、収穫時に、作業者が移動することなく、定位置で収穫作業を効率よく行うことができるとともに、設備や装置に要する費用を低減することができる植物の栽培および収穫方法、並びにその方法の実施に直接使用する装置であって、ネットおよびそれに絡み付いた植物を、その下の土壌から容易に剥離させることができ、その後、ネットの一端部を側方に軽力で引き寄せることができるようにしたネットの剥離装置を提供することを目的としている。
【課題を解決するための手段】
【０００７】
本発明によると、上記課題は次のようにして解決される。
(１)  植物の栽培および収穫方法において、栽培用土壌中にネットを敷設した後、または同時に、播種するか、または苗または球根を植え付け、根が前記ネットを通して下方に、かつ葉や茎が前記ネットより上方に伸びるようにして植物を栽培し、収穫時に、前記ネットの一端部を持ち上げるとともに、側方に引き寄せつつ、前記ネットの上方に位置する植物を収穫する。
【０００８】
このような方法によると、収穫時に、ネットの一端部を持ち上げるとともに、側方に引き寄せつつ、ネットの上方に位置する植物を収穫するので、作業者は、移動することなく、定位置で収穫作業を効率よく行うことができるとともに、台車上に大型の各種の装置を装着したり、その台車を走行させたりする必要がなく、設備や装置に要する費用を低減させることができる。
【０００９】
(２)  上記(１)項において、収穫時に、ネットの一端部を持ち上げた後、その下方に、前記ネットの幅方向を向く剥離部材を挿入し、この剥離部材を、前記ネットの長手方向に移動させることにより、前記ネットおよびそれに絡み付いた植物を、その下の土壌から剥離させる。
【００１０】
このような方法によると、剥離部材を、ネットの長手方向に移動させるだけで、ネットおよびそれに絡み付いた植物を、その下の土壌から容易に剥離させることができ、その後、ネットの一端部を側方に軽力で引き寄せることができる。
【００１１】
(３)  上記(２)項において、剥離部材により、ネットおよびそれに絡み付いた植物を、その下の土壌から剥離するのと同時に、その間に摩擦抵抗減少用のシートを敷設し、ネットを側方に引き寄せる際、ネットおよびそれに絡み付いた植物とシートとの間、またはシートとその下の土壌との間において互いに滑らせる。
【００１２】
このような方法によると、ネットの一端部を側方に引き寄せる際に必要な力を、さらに軽減させることができる。
【００１３】
(４)  上記(３)項において、収穫時に、持ち上げたネットの一端部を巻取機に巻き取りつつ、かつシートの一端部を別の巻取機に巻き取りつつ、持ち上げられたネットの上方に位置する植物を収穫する。
【００１４】
このような方法によると、モータ等の動力により、ネットとシートを自動的に巻き取りつつ、収穫作業をすることができるので、作業者の負担をさらに軽減することができる。
【００１５】
(５)  上記(１)〜(４)項のいずれかにおいて、ネットに、植物の種を適宜の間隔をもって付着させておいた水溶性のシートを貼着しておき、ネットを栽培用土壌中に敷設するのと同時に播種する。
【００１６】
このような方法によると、播種作業を省略することができ、作業者の負担をさらに軽減することができるとともに、ネット敷設後、シートは土壌中の水分により溶融するので、シートが植物の生育の妨げとなることはない。
【００１７】
(６)  上記(１)〜(４)項のいずれかにおいて、筒状としたネット内に、球根を適宜の間隔をもって収容しておくことにより、ネットを栽培用土壌中に敷設するのと同時に、球根の植え付けを行う。
【００１８】
このような方法によると、種よりも寸法の大きい球根の植え付けも容易に行うことができる。
【００１９】
(７)  栽培用土壌中に敷設され、かつ複数の植物が、その根が下方に、葉や茎が上方に伸びるようにして絡み付いたネットを、その下の土壌から剥離するネットの剥離装置において、前記ネットの幅方向を向くようにして、前記ネットの下方に挿入されるローラ状の剥離部材と、前記ネットを跨ぐ倒立Ｕ字状をなし、両端部をもって前記剥離部材の両端部を軸受するフレームと、前記フレームの両端部に設けられ、かつ前記ネットの両側方の圃場上を、前記ネットの長手方向に沿って転動するようにした１対の車輪と、前記剥離部材と少なくとも１個の車輪とが、互いに逆方向に回転するように連係する連係手段とを備えるものとする。
【００２０】
このような構成によると、車輪が圃場上を転動するのに連動して、ローラ状の剥離部材が、車輪と逆方向に回転させられ、剥離部材上のネットおよびそれに絡み付いた植物を、車輪の進行方向と逆側に送り出すことができ、ネットの剥離装置を、円滑に進行させることができる。
【００２１】
(８)  上記(７)項において、ローラ状の剥離部材の外周面に、ネットの目と係合することにより、剥離部材とネットの位置ずれを防止する突起を設ける。
【００２２】
このような構成によると、剥離部材とネットの位置ずれを防止することができ、またローラ状の剥離部材の回転により、ネットを車輪の進行方向と逆方向に確実に送り出すことができる。
【００２３】
(９)  上記(７)または(８)項において、フレームの両端部に、剥離部材により剥離したネット、およびそれに絡み付いた植物と、その下の土壌との間に敷設する摩擦抵抗減少用のシートを巻き取ったロールの両端部を軸受する。
【００２４】
このような構成によると、ネットの一端部を持ち上げて、ローラ状の剥離部材上に被せ、そのネットの一端部を元の土壌の上に戻す際に、ネットと元の土壌との間に、ロールから繰り出した摩擦抵抗減少用のシートの先端部を敷き込んでおくだけで、その後ネットの剥離装置の進行に伴って、シートがロールから引き出されて、ネットと元の土壌との間に自動的に敷き込まれていくので、作業者がシートの敷設に手間を掛ける必要が全くなく、ネットの剥離作業を容易に行うことができる。
【発明の効果】
【００２５】
本発明によると、収穫時に、作業者が移動することなく、定位置で収穫作業を効率よく行うことができるとともに、設備や装置に要する費用を低減することができる植物の栽培および収穫方法、並びにその方法の実施に直接使用する装置であって、ネットおよびそれに絡み付いた植物を、その下の土壌から容易に剥離させることができ、その後、ネットの一端部を側方に軽力で引き寄せることができるようにしたネットの剥離装置を提供することができる。
【図面の簡単な説明】
【００２６】
【図１】図１〜図５は、本発明の植物の栽培および収穫方法の一実施要領を示すもので、そのうち、図１は、畝の長手方向に沿ってネットを敷設し、その上に薄く覆土し、播種したときの縦断側面図である。
【図２】植物が生育したときの状態を示す、図１と同様の縦断側面図である。
【図３】図２におけるIII−III線における縦断正面図である。
【図４】ネットの剥離時の状態を示す、図２と同様の縦断側面図である。
【図５】収穫作業時の状態を示す、図４と同様の縦断側面図である。
【図６】ネットの剥離装置の一実施形態の一部破断側面図である。
【図７】同じく、平面図である。
【図８】図６におけるVIII−VIII線における縦断正面図である。
【図９】ネットに、植物の種を付着させた水溶性のシートを貼着した状態を示す斜視図である。
【図１０】筒状としたネットに複数の球根を収容させた状態を斜視図である。
【発明を実施するための形態】
【００２７】
以下、本発明の植物の栽培および収穫方法を、植物の一例としての葉ねぎの栽培に適用したときの一実施要領について、図１〜図５を参照して説明する。
図１、図２、図４および図５において、図面上の左方を前方、同じく右方を後方とする。
【００２８】
図１に示すように、圃場１を耕した後、その圃場１に、まず前後方向を向く複数条の畝２を立てる。
畝２の高さは１０〜３０cm、幅は３０〜９０cm、長さは１０〜５０ｍ、畝間３(図３参照)の幅は１０〜３０cmとするのが好ましい。
【００２９】
次に、各畝２上に、それとほぼ同幅のネット４を敷設する。
ネット４は、目の大きさが２〜１０mm程度の合成樹脂製のものとするのが好ましい。
【００３０】
ネット４を敷設した後、その上に薄く、例えば３〜１５mm程度覆土し、その後に、葉ねぎ(植物)５の種を蒔く。
蒔き方は、２０〜３０cmの間隔で、幅１cm、深さ３〜５mm程度の条溝を複数本形成し、各条溝に約１cm間隔で種を蒔き、その上に土壌を３〜５mm程度被せて軽く押え、その上から散水するすじ蒔きとするか、または、土壌の上に直接種をばら蒔いて散水するばら蒔きとするのがよい。播種に代えて、苗を植設することもある。
【００３１】
また、図９に示すように、ネット４に、植物の種７を等間隔、または適宜の間隔をもって付着させておいた水溶性のシート８を貼着しておくと、ネット４を栽培用土壌中に敷設するのと同時に播種したのと同様の状態となり、播種作業を省略することができ、作業者の負担をさらに軽減することができるとともに、ネット敷設後、シートは土壌中の水分により溶融するので、シートが植物の生育の妨げとなることはない。
【００３２】
また、チューリップ等の球根植物に本発明を適用する場合は、図１０に示すように、ネット４を円筒状とし、その中に球根９を適宜の間隔をもって収容しておくと、ネット４を栽培用土壌中に敷設するのと同時に、球根９の植え付けを行うことができる。
このようにすると、種よりも寸法の大きい球根９の植え付けも容易に行うことができる。
【００３３】
その後、適時に散水その他の手入れをし、図２および図３に示すように、葉ねぎ５が生育すると、その根５ａは、ネット４に絡み付いた状態で、ネット４より下方に延び、葉(茎を含む)５ｂは、ネット４より上方に伸びる。
【００３４】
葉ねぎ５が十分に生育した後、収穫作業を行う。
その収穫作業に先立って、ネット４およびそれに絡み付いた葉ねぎ５を、その下の土壌６(図４参照)から剥離させる剥離作業を行う。
この剥離作業は、例えば、ネット４の一端部を持ち上げた後、その下方に、ネット４の幅方向を向く棒状または板状の剥離部材(図示略)を挿入し、この剥離部材を、ネット４の下面に沿って長手方向に移動させることにより行うこともできるが、図４、および図６〜図８に示すようなネットの剥離装置１０を使用して行うのが好ましい。
【００３５】
ネットの剥離装置１０は、図６〜図８に示すように、栽培用土壌中に敷設され、かつ複数の葉ねぎ５が上記のようにして絡み付いたネット４を、その下の土壌６から剥離するためのものであって、ネット４の幅方向を向くようにして、ネット４の下方に挿入されるローラ状の剥離部材１１と、側面視において前上方の斜めの方向を向き、かつ平面視Ｕ字状をなしてネット４を跨ぎ、両端部をもって剥離部材１１の両端部を軸受するフレーム１２と、フレーム１２の両端部に設けられ、かつネット４の両側方の圃場１上、特に、図８に示す畝間３を、ネット４の長手方向に沿って転動するようにした左右１対の車輪１３と、剥離部材１１と少なくとも１個の車輪１３とを、互いに逆方向に回転するように連係する連係手段１４とを備えている。
【００３６】
フレーム１２の両端部には、軸受板１２ａ、１２ａが設けられており、両軸受板１２ａ、１２ａをもって、ローラ状の剥離部材１１と一体の軸１１ａの両端近傍部が枢支されている。
【００３７】
円筒形の剥離部材１１の外周面には、ネット４の目と係合することにより、剥離部材１１とネット４の位置ずれを防止するようにした複数の突起１１ｂが設けられている。
【００３８】
各車輪１３は、各軸受板１２ａの前部の内側に配設され、各車輪１３と一体の軸１３ａの中間部は、各軸受板１２ａに枢支されている。
【００３９】
各軸受板１２ａの外側に突出する各車輪１３の軸１３ａの外側端部には、歯車１５が固嵌され、同じく剥離部材１１の軸１１ａの端部には、歯車１６が固嵌されている。
【００４０】
両歯車１５、１６は、各軸受板１２ａの外側面に軸１７ａ、１８ａをもって枢支された２個の中間歯車１７、１８を介して、互いに逆方向に同期回転するように連係されている。
この４個の歯車１５〜１８により、連係手段１４が形成されている。
【００４１】
各軸受板１２ａの外側面には、連係手段１４をなす４個の歯車１５〜１８を覆うカバー１９が、着脱可能として設けられている。
【００４２】
各軸受板１２ａの後部の内側には、フレーム１２の支持を安定させるための補助車輪２０が、軸２０ａをもって枢着されている。
【００４３】
また、剥離部材１１の下方における左右の軸受板１２ａ、１２ａ間には、剥離部材１１により剥離したネット４およびそれに絡み付いた葉ねぎ５と、その下の土壌６との間に敷設する摩擦抵抗減少用のシート２１を巻き取ったロール２２の軸２３の両端部が軸受されている。
なお、補助車輪２０やロール２２およびその軸２３は、省略して実施することもある。
【００４４】
このネットの剥離装置１０を使用して、ネット４を剥離するには、図４に示すように、ネット４の後端部を持ち上げて、ネット４とそれに絡み付いた葉ねぎ５の根５ａとの下に、ネットの剥離装置１０における剥離部材１１とロール２２とを潜入させる。
【００４５】
その後、ネット４とそれに絡み付いた葉ねぎ５の根５ａとを、剥離部材１１とロール２２との上に被せるとともに、ネット４の後端部およびそれに絡み付いた葉ねぎ５の根５ａと、その下の土壌６との間に、ロール２２より繰り出したシート２１の先端部を挟み込む。
【００４６】
次いで、フレーム１２の前端部を人力により前方に引くか、または畝２の前方に配置したウインチ(図示略)より繰り出したワイヤ(図示略)をフレーム１２の前端部に係止して、ウインチによりワイヤを巻き取ることにより、フレーム１２を前方に引き、左右の車輪１３、１３および補助車輪２０、２０を畝間３、３に沿って前方に転動させると、左右の車輪１３、１３の回転力により、連係手段１４を介して、剥離部材１１が車輪１３、１３の回転方向と逆方向に回転させられ、ネット４およびそれに絡み付いた葉ねぎ５は、その下の土壌６から漸次上方に引き剥がされた後、後方に送られる。
【００４７】
このときのネットの剥離装置１０の前進に伴って、シート２１は、ロール２２から漸次後方に繰り出されつつ、ネット４およびそれに絡み付いた葉ねぎ５と、その下の土壌６との間に漸次敷設される。
【００４８】
ネットの剥離装置１０がネット４の前端の下方を通過すると、ネット４の剥離作業は終了する。
【００４９】
次に、図５に示すように、ネットの剥離作業が終わった各畝２の後部に設けた適宜の支持体(図示略)に、前後１対のガイドローラ２４、２５、ネット巻取ローラ(巻取機)２６、下部ローラ２７、上部ローラ２８およびシート巻取ローラ(巻取機)２９を、互いに前後方向に離間させて(上部ローラ２８と下部ローラ２７との間は上下に離間させて)配設し、かつ前後のガイドローラ２４、２５の下方にトレー３０を配設し、シート２１の後端部を、トレー３０の下を通した後、下部ローラ２７および上部ローラ２８に順次掛け回して、後端末をシート巻取ローラ２９に止着し、シート巻取ローラ２９を、図示を省略したモータにより回転させて、シート２１をシート巻取ローラ２９に巻き取らせ、さらに、ネット４の後部およびそれに絡み付いた葉ねぎ５を、その下の土壌６およびシート２１より上方に持ち上げて、前後のガイドローラ２４、２５上に掛け渡した後、ネット４の後端末をネット巻取ローラ２６に止着し、ネット巻取ローラ２６を、図示を省略したモータにより回転させて、ネット４をネット巻取ローラ２６に巻き取らせる。
【００５０】
そのときの前後のガイドローラ２４、２５間におけるネット４の上面を作業領域３１とし、その範囲内で、作業者が葉ねぎ５をネット４から上方に引き抜いて収穫し、ネット４の側方に配設した収容箱(図示略)等に収容する。
【００５１】
葉ねぎ５は、ネット４から比較的引き抜き易いが、根５ａがネット４に絡み付いて引き抜き難い場合には、作業領域３１におけるネット４の下方に、例えば２枚の鋸刃状の刃を長手方向に相対的に振動させることにより、芝を刈り取るようにした芝刈り機状のカッタ３２をネット４の下面に沿うようにして配設し、このカッタ３２により、根５ａをネット４の下面に沿って切断するのが好ましい。
【００５２】
また、収穫に関しても、上記カッタ３２と同様のカッタ３３をネット４の上面に沿うようにして配設し、このカッタ３３により、葉ねぎ５におけるネット４より上方の葉５ｂの部分を切断し、切断された葉５ｂを、ガイドトレー(図示略)により、収容箱に導くようにするのが好ましい。
【００５３】
なお、カッタ３３に代えて、スクレーパ(図示略)をネット４の上面に沿うようにして、好ましくは、ネット４の進行方向に対して斜めの方向を向くようにして配設し、根５ａが下方のカッタ３２により切断された葉ねぎ５におけるネット４の上面に残る部分を掻き落とすようにしてもよい。
【００５４】
以上のような植物の栽培および収穫方法によると、次のような効果を奏することができる。
(ａ)  収穫時に、ネット４の一端部を持ち上げるとともに、側方に引き寄せつつ、ネット４の上方に位置する植物を収穫するので、作業者は、移動することなく、定位置で収穫作業を効率よく行うことができるとともに、従来のように台車上に大型の各種の装置を装着したり、その台車を走行させたりする必要がなく、設備や装置に要する費用を低減することができる。
【００５５】
(ｂ)  剥離部材１１を、ネット４の長手方向に移動させるだけで、ネット４およびそれに絡み付いた植物を、その下の土壌６から容易に剥離させることができ、その後、ネット４の一端部を側方に軽力で引き寄せることができる。
【００５６】
(ｃ)  剥離部材１１により、ネット４およびそれに絡み付いた植物を、その下の土壌６から剥離するのと同時に、ネット４およびそれに絡み付いた植物と、その下の土壌６との間に、摩擦抵抗減少用のシート２１を敷設し、ネット４を側方に引き寄せる際、ネット４およびそれに絡み付いた植物とシート２１との間、またはシート２１とその下の土壌６との間において互いに滑らせるようにしているので、ネット４の一端部を側方に引き寄せる際に必要な力をさらに軽減することができる。
【００５７】
(ｄ)  収穫時に、持ち上げたネット４の一端部をネット巻取ローラ２６に巻き取りつつ、またシート２１の一端部を別の巻取機に巻き取りつつ、持ち上げられたネットの上方に位置する植物を収穫するので、作業者の負担をさらに軽減することができる。
【００５８】
(ｅ)  ネット４に、植物の種を適宜の間隔をもって付着させておいた水溶性のシート８を貼着しておき、ネット４を栽培用土壌中に敷設するのと同時に播種すると、播種作業を省略することができ、作業者の負担をさらに軽減することができるとともに、ネット４敷設後、シート８は土壌中の水分により溶融するので、シート８が植物の生育の妨げとなることはない。
【００５９】
(ｆ)  筒状としたネット４内に、球根９を適宜の間隔をもって収容しておき、ネットを栽培用土壌中に敷設するのと同時に、球根の植え付けを行うようにすると、種よりも寸法の大きい球根の植え付けも容易に行うことができる。
【００６０】
また、上記ネットの剥離装置１０によると、次のような効果を奏することができる。
(ｇ)  車輪１３が圃場１上を転動するのに連動して、ローラ状の剥離部材１１が、車輪１３と逆方向に回転させられ、剥離部材１１上のネット４およびそれに絡み付いた植物を、車輪１３の進行方向と逆方向に送り出すことができ、ネットの剥離装置１０は、円滑に進行することができるとともに、ネット４およびそれに絡み付いた植物を、その下の土壌６から容易に剥離させることができ、その後、ネット４の一端部を側方に軽力で引き寄せることができる。
【００６１】
(ｈ)  ローラ状の剥離部材１１の外周面に、ネット４の目と係合することにより、剥離部材１１とネット４の位置ずれを防止する突起１１ｂを設けてあるので、剥離部材１１とネット４の位置ずれを防止することができ、剥離部材１１の回転により、ネット４を車輪１３の進行方向と逆方向に確実に送り出すことができる。
【００６２】
(ｉ)  フレーム１２の両端部に、剥離部材１１により剥離したネット４およびそれに絡み付いた植物と、その下の土壌６との間に敷設する摩擦抵抗減少用のシート２１を巻き取ったロール２２の両端部を軸受してあるので、ネット４の一端部を持ち上げて、ローラ状の剥離部材１１上に被せ、そのネット４の一端部を元の土壌６の上に戻す際に、ネット４と元の土壌６との間に、ロール２２から繰り出した摩擦抵抗減少用のシート２１の先端部を敷き込んでおくだけで、その後ネットの剥離装置１０の進行に伴って、シート２１がロール２２から引き出されて、ネット４と元の土壌６との間に自動的に敷き込まれていくので、作業者がシート２１の敷設に手間を掛ける必要が全くなく、ネット４の剥離作業を容易に行うことができる。
【００６３】
本発明は、上記実施形態のみに限定されるものではなく、例えば、次のような変形した態様での実施が可能である。
(１)  シート２１、そのロール２２、シート巻取ローラ２９等を省略して実施する。畝２の長さが短く、かつ収穫時の植物の根が余り大きくない場合は、シート２１をネット４とその下の土壌６との間に敷設しなくても、収穫時にネット４を軽力で側方に引き寄せることができる。
(２)  連係手段１４を、車輪１３の軸１３ａに固嵌したプーリと、剥離部材１１の軸１１ａに固嵌したプーリと、両プーリ間にクロス掛けしたベルト(いずれも図示略)とからなるものとする。
(３)  カッタ３２、３３を、モータにより回転させられる回転刃を備えるものとし、これをネット４の幅方向に移動させるようにするか、または複数の回転刃をネット４の幅方向に並べて配設する。
(４)  左右いずれか一方の連係手段１４を省略して実施する。
【符号の説明】
【００６４】
１  圃場
２  畝
３  畝間
４  ネット
５  葉ねぎ(植物)
５ａ根
５ｂ葉(茎を含む)
６  ネット下の土壌
７  種
８  水溶性のシート
９  球根
１０  ネットの剥離装置
１１  剥離部材
１１ａ軸
１１ｂ突起
１２  フレーム
１２ａ軸受板
１３  車輪
１３ａ軸
１４  連係手段
１５、１６  歯車
１７、１８  中間歯車
１７ａ、１８ａ  軸
１９  カバー
２０  補助車輪
２０ａ軸
２１  シート
２２  ロール
２３  軸
２４、２５  ガイドローラ
２６  ネット巻取ローラ
２７  下部ローラ
２８  上部ローラ
２９  シート巻取ローラ
３０  トレー
３１  作業領域
３２、３３  カッタ
【図１】
2016052275.tif 000003
【図２】
2016052275.tif 000004
【図３】
2016052275.tif 000005
【図４】
2016052275.tif 000006
【図５】
2016052275.tif 000007
【図６】
2016052275.tif 000008
【図７】
2016052275.tif 000009
【図８】
2016052275.tif 000010
【図９】
2016052275.tif 000011
【図１０】
2016052275.tif 000012